(57)【特許請求の範囲】
【請求項１】
給紙部から転写部間の用紙搬送部に設けられ該給紙部からの用紙の片寄りを検出する片寄検出センサを一対の用紙ガイド板に備えた画像記録装置において、
前記片寄検出センサがライン状のセンサであって、その長手方向が用紙の搬送方向と直角になるように、開閉可能な上側の用紙ガイド板に対して設けられており、
前記上側の用紙ガイド板が閉じられたときに下側の用紙ガイド板に対して所定の位置に閉口するための位置決め用部材を備えており、
前記上側の用紙ガイド板を開口したときに前記片寄検出センサに設けられたコンタクトガラスが露出し、清掃可能としたことを特徴とする画像記録装置。
【発明の詳細な説明】
【０００１】
【発明の属する技術分野】
本発明は、画像記録装置に関し、特に、片寄検出センサに設けられた防塵用のコンタクトガラスをクリーンに保つ画像記録装置に関する。
【０００２】
【従来の技術】
画像記録装置は、複写機やＦＡＸなど種々の装置に使用されている。図６は、従来から使用されて来ている画像記録装置の要部の断面図を示す。
【０００３】
この画像記録装置により画像の複写が行われる場合は、矢印（イ）に示すように給紙部（図示せず）から給紙された複写用の用紙１が用紙搬送部１０を搬送され転写部２０に繰り出される。転写部２０において画像の転写が行われ、その後、定着が行われた後、用紙１は外部に排出される。
【０００４】
用紙搬送部１０は、レジストローラ１２と、ガイド部１７と、転写前ローラ１１とで構成され、用紙１はこれらにより搬送され転写部２０に繰り出される。
【０００５】
ガイド部１７には、片寄検出センサ１５が設けられ、片寄検出センサ１５は、発光部のＬＥＤ１５ａと、ミラー１５ｂと、受光部のＣＣＤ１５ｃで構成され、用紙１の搬送時の片寄りを検出する。
【０００６】
図７は、図６に示した用紙搬送部１０の平面図を示す。用紙１は、レジストローラ１２により用紙の傾きを調整された後、ガイド部１７と、転写前ローラ１１とで搬送されるが、給紙部からの搬送中に主走査方向の基準位置Ｘより±ΔＸばらつくことがある。片寄検出センサ１５は、このばらつきを検出するもので、用紙１の搬送にばらつきがあったとしても片寄り分を補正し予め定めた位置に画像の書込みを行うことができる。
【０００７】
【発明が解決しようとする課題】
しかしながら、従来の画像記録装置には次のような問題があった。
【０００８】
上記したごとく、片寄検出センサ１５は、発光部のＬＥＤ１５ａと、ミラー１５ｂと、受光部のＣＣＤ１５ｃで構成され、用紙１の搬送時の片寄りを検出しているが、用紙１への発光光線とその受光光線が通過する部分には防塵用のコンタクトガラス１６が設けられている。
【０００９】
このコンタクトガラス１６は、用紙１の搬送時に発生する紙粉や、機外のゴミ・ほこりなどが付着し汚れるおそれがある。
【００１０】
そのため、コンタクトガラス１６の表面に付着した汚れにより誤検知が行われ、用紙１の片寄り分を補正し予め定めた位置に画像の書込みを行うことが正確にできないおそれがあった。
【００１１】
本発明は、上記に鑑みてなされたものであって、片寄検出センサに設けられた防塵用のコンタクトガラスをクリーンに保ち、誤検知を防止して予め定めた位置に画像の書込みを正確に行う画像記録装置を提供することを目的とする。
【００１２】
【課題を解決するための手段】
そこで本発明の画像記録装置は、給紙部から転写部間の用紙搬送部に設けられ該給紙部からの用紙の片寄りを検出する片寄検出センサを一対の用紙ガイド板に備えた画像記録装置において、前記片寄検出センサがライン状のセンサであって、その長手方向が用紙の搬送方向と直角になるように、開閉可能な上側の用紙ガイド板に対して設けられており、前記上側の用紙ガイド板が閉じられたときに下側の用紙ガイド板に対して所定の位置に閉口するための位置決め用部材を備えており、前記上側の用紙ガイド板を開口したときに前記片寄検出センサに設けられたコンタクトガラスが露出し、清掃可能としたことを特徴とする。
【００１６】
【発明の実施の形態】
以下、本発明の実施の形態について説明する。
【００１７】
図１は、本発明の第１の実施の形態の画像記録装置の要部の断面図を示す。
【００１８】
なお、以下、本発明に関わる図１ないし図５では、従来例の図６と図７に付した参照番号と同じものには同一の参照番号を付けることとする。
【００１９】
この画像記録装置は、給紙部（図示せず、以下同様）から転写部２０の間に用紙搬送部３０が設けられている。用紙搬送部３０は、給紙部から給紙された用紙１の傾きを調整する２個のローラ１２ａ、１２ｂを有するレジストローラ１２と、ガイド部３７と、２個のローラ１１ａ、１１ｂを有する転写前ローラ１１とを備えている。ガイド部３７は、用紙ガイド板３１と開閉用紙ガイド板３２とで構成され、矢印（イ）に示すごとく、用紙ガイド板３１と開閉用紙ガイド板３２との隙間を用紙１が搬送される。開閉用紙ガイド板３２には、給紙部からの用紙１の片寄りを検出する片寄検出センサ１５が設けられており、片寄検出センサ１５の検出結果により用紙１の片寄り分を補正した書込み位置制御が行われる。開閉用紙ガイド板３２は、一点鎖線で示すごとく矢印（ロ）方向に開口することができる。
【００２０】
図２は、図１に示した用紙搬送部３０の平面図を示す。用紙１は、レジストローラ１２と、用紙ガイド板３１と開閉用紙ガイド板３２との隙間と、転写前ローラ１１とを通り搬送されるが、片寄検出センサ１５が設けられた開閉用紙ガイド板３２は支持ピン３６に回転自在に取り付けられている。開閉用紙ガイド板３２の開口は、取手３８により手動で行うことができる。
【００２１】
画像記録装置において用紙１への複写が行われていないとき、開閉用紙ガイド板３２を開口することによって、片寄検出センサ１５に設けたコンタクトガラス１６を容易に清掃することができる。
【００２２】
なお、片寄検出センサ１５が設けられた用紙搬送部３０と、転写部２０などは搬送部ユニットとして構成され、一体で画像記録装置から引き出し可能となっており、開閉用紙ガイド板３２の開口は搬送部ユニットを引き出して行うことができる。
【００２３】
また、図１と図２に示すごとく、開閉用紙ガイド板３２には、位置決め軸３５が設けられており、開閉用紙ガイド板３２が閉じられたとき、用紙ガイド板３１に設けた位置決め穴３５ａに嵌合する。従って、位置決め軸３５と位置決め穴３５ａとで位置決め用部材が形成され、コンタクトガラス１６の清掃のため開閉用紙ガイド板３２を開口した後、開閉用紙ガイド板３２を元に戻したときの復帰位置決め精度を確保することができる。
【００２４】
位置決め軸３５は、先端部では先細形状の円筒形状に形成され、位置決め穴３５ａに嵌合しやすくすると共に、特に、片寄検出センサ１５の主走査方向（用紙１の搬送方向と直角方向）の位置決めは検出精度上重要であり精密嵌合としている。開閉用紙ガイド板３２は、レジストローラ１２の両端近辺に設けられた２個の支持ピン３６を支点としているため、開閉用紙ガイド板３２の開閉により用紙１の搬送方向への位置ずれは起きず、位置決め穴３５ａを用紙１の搬送方向に長穴形状にすることができる。
【００２５】
図３は、位置決め軸の他の実施例を示す。この実施例の位置決め軸３９は、円筒の長手方向に複数の切欠部３９ａを有し、先端部３９ｂでは先細形状に形成されている。
【００２６】
上記したごとくこの第１の実施の形態では、開閉用紙ガイド板３２を開口することによって、片寄検出センサ１５に設けたコンタクトガラス１６を容易に清掃することができ、また、位置決め用部材により、開閉用紙ガイド板３２を元に戻したときの復帰位置決め精度を確保することができ、簡潔な構造でコンタクトガラス１６の清掃を容易に行うことができる。
【００２７】
図４は、本発明の第２の実施の形態の画像記録装置の要部の断面図を示す。
【００２８】
この画像記録装置は、給紙部から転写部２０の間に用紙搬送部４０が設けられ、用紙搬送部４０は、給紙部から給紙された用紙１の傾きを調整する２個のローラ１２ａ、１２ｂを有するレジストローラ１２と、ガイド部４７と、２個のローラ１１ａ、１１ｂを有する転写前ローラ１１とを備えている。ガイド部４７は、用紙ガイド板４１と上側用紙ガイド板４２とで構成され、矢印（イ）に示すごとく、用紙１は用紙ガイド板４１と上側用紙ガイド板４２との隙間を通って搬送される。上側用紙ガイド板４２には、給紙部からの用紙１の片寄りを検出する片寄検出センサ１５が設けられ、片寄検出センサ１５の検出結果により用紙１の片寄り分を補正した書込み位置制御が行われる。用紙ガイド板４１は、片寄検出センサ１５に設けたコンタクトガラス１６の下側に相当する部分が開口され、その開口部４１ａに清掃部材５０が回動可能に設けられている。
【００２９】
清掃部材５０は、ガイド板５１と、所定の間隔ごとに複数の清掃ブラシ５２とを有し、用紙１への複写が行われるときには、ガイド板５１は用紙ガイド板４１とほぼ同一平面に置かれている。清掃部材５０は、コンタクトガラス１６の清掃を行うときに回動され、清掃ブラシ５２によりコンタクトガラス１６が清掃される。清掃部材５０の回動は、所定の複写枚数に達したとき、自動的に所定回数だけ回動するようにすることも、オペレータにより外部入力信号で回動するようにすることもできる。
【００３０】
なお、上記の清掃部材５０は、所定の間隔ごとに複数の清掃ブラシ５２を有しているが、ガイド板５１を除き全面をブラシにすることも、ガイド板５１を除き一部をブラシにすることもできる。
【００３１】
上記したごとくこの第２の実施の形態では、清掃部材５０により自動的にコンタクトガラス１６を清掃することも、オペレータにより容易にコンタクトガラス１６の清掃を行うこともできる。
【００３２】
図５は、本発明の第３の実施の形態の画像記録装置の要部の断面図を示す。
【００３３】
この画像記録装置は、給紙部から転写部２０の間に用紙搬送部６０が設けられ、用紙搬送部６０は、給紙部から給紙された用紙１の傾きを調整する２個のローラ１２ａ、１２ｂを有するレジストローラ１２と、ガイド部６７と、２個のローラ１１ａ、１１ｂを有する転写前ローラ１１とを備えている。ガイド部６７は、用紙ガイド板６１と上側用紙ガイド板６２とで構成され、矢印（イ）に示すごとく、用紙１は用紙ガイド板６１と上側用紙ガイド板６２との隙間を通って搬送される。上側用紙ガイド板６２には、給紙部からの用紙１の片寄りを検出する片寄検出センサ１５が設けられ、片寄検出センサ１５の検出結果により用紙１の片寄り分を補正した書込み位置制御が行われる。用紙ガイド板６１は、片寄検出センサ１５に設けたコンタクトガラス１６の下側に相当する部分に開口部６３が設けられている。この開口部６３からブラシなどの清掃部材によりコンタクトガラス１６の清掃を行うことができる。
【００３４】
また、開口部６３に可撓性フイルムを張り付け、清掃を行うときには可撓性フイルムを撓ませて清掃することができる。
【００３５】
上記したごとくこの第３の実施の形態では、開口部６３により簡潔な構造でコンタクトガラス１６の清掃を容易に行うことができる。
【００３６】
なお、上記実施の形態は、画像記録装置の一例としての複写機について述べたが、これに限定することなく、その他ファックスなどにも幅広く使用することができる。
【００３７】
【発明の効果】
本発明の画像記録装置は、給紙部から転写部間の用紙搬送部に設けられ該給紙部からの用紙の片寄りを検出する片寄検出センサを一対の用紙ガイド板に備えた画像記録装置において、前記片寄検出センサがライン状のセンサであって、その長手方向が用紙の搬送方向と直角になるように、開閉可能な上側の用紙ガイド板に対して設けられており、前記上側の用紙ガイド板が閉じられたときに下側の用紙ガイド板に対して所定の位置に閉口するための位置決め用部材を備えており、前記上側の用紙ガイド板を開口したときに前記片寄検出センサに設けられたコンタクトガラスが露出し、清掃可能としたため、用紙ガイド板を開口することによって、片寄検出センサに設けられたコンタクトガラスを容易に清掃することができるし、開閉用紙ガイド板を元に戻したときの復帰位置決め精度を確保することができ、簡潔な構造でコンタクトガラスの清掃を容易に行うことができる。
【図面の簡単な説明】
【図１】本発明の第１の実施の形態の画像記録装置の要部の断面図を示す。
【図２】図１に示した用紙搬送部の平面図を示す。
【図３】位置決めピンの他の例を示す。
【図４】本発明の第２の実施の形態の画像記録装置の要部の断面図を示す。
【図５】本発明の第３の実施の形態の画像記録装置の要部の断面図を示す。
【図６】従来から使用されて来ている画像記録装置の要部の断面図を示す。
【図７】図６に示した用紙搬送部の平面図を示す。
【符号の説明】
１  用紙
１０  用紙搬送部
１１  転写前ローラ
１２  レジストローラ
１５  片寄検出センサ
１６  コンタクトガラス
１７  ガイド部
２０  転写部
３０  用紙搬送部
３１  用紙ガイド板
３２  開閉用紙ガイド板
３５  位置決めピン
３５ａ  位置決め穴
３６  支持ピン
３７  ガイド部
３９  位置決めピン
４０  用紙搬送部
４１  用紙ガイド板
４２  上側用紙ガイド板
４７  ガイド部
５０  清掃部材
５１  ガイド板
５２  清掃ブラシ
６０  用紙搬送部
６１  用紙ガイド板
６２  上側用紙ガイド板
６３  開口部
６７  ガイド部
【図１】
0003758418.tif 000002
【図２】
0003758418.tif 000003
【図３】
0003758418.tif 000004
【図４】
0003758418.tif 000005
【図５】
0003758418.tif 000006
【図６】
0003758418.tif 000007
【図７】
0003758418.tif 000008